(57)【要約】【課題】浄水機能を有するコーヒー沸かし器において、浄水器の性能低下を起こさずに、浄水器の小型化が行えるようにすることを目的とする。【解決手段】水容器２から導入した水を加熱して湯を供給する加熱手段４と、加熱手段４から供給される湯をコーヒー抽出室７に送る給湯口６と、給湯口６とコーヒー抽出室７の間に設けた、活性炭１０を有する浄水器８とを備え、浄水器８は少なくとも２つ以上の活性炭１０を任意の空間１２を設けるように構成している。これにより、各活性炭１２を薄くでき、湯の活性炭１０での通過速度が上がり、また空間１２を設けて活性炭１０を複数としたことで、浄水率を低下させることなく浄水器８自体の容積を低減できる。【選択図】　図１
2004121544.tif 000002
【特許請求の範囲】
【請求項１】
水容器と、前記水容器から導入した水を加熱して湯を供給する加熱手段と、前記加熱手段から供給される湯をコーヒー抽出室に送る給湯口と、前記給湯口とコーヒー抽出室の間に設けた、活性炭を有する浄水器とを備え、前記浄水器は少なくとも２つ以上の活性炭を任意の空間を設けて配置したコーヒー沸かし器。
【請求項２】
浄水器の活性炭は、異なる材質の活性炭を組み合わせて構成した請求項１に記載のコーヒー沸かし器。
【請求項３】
浄水器の活性炭は、粒状活性炭の上下に繊維状活性炭またはフェルト状活性炭を設けた請求項１または２に記載のコーヒー沸かし器。
【請求項４】
活性炭間の空間を、放射状に構成した請求項１〜３のいずれか１項に記載のコーヒー沸かし器。
【請求項５】
浄水器に蒸気放出孔を設けた請求項１〜４のいずれか１項に記載のコーヒー沸かし器。
【請求項６】
給湯口を活性炭に接触させた請求項１〜５のいずれか１項に記載のコーヒー沸かし器。
【請求項７】
浄水器の最下層にミネラル等の添加層を設けた請求項１〜６のいずれか１項に記載のコーヒー沸かし器。
【発明の詳細な説明】
【０００１】
【発明の属する技術分野】
本発明は、コーヒー抽出室に湯を供給することによりコーヒー液を抽出するコーヒー沸かし器に関するものである。
【０００２】
【従来の技術】
従来、おいしいコーヒーを抽出するには、湯から塩素等の不純物を除去してコーヒー粉に供給すると良いことが知られており、このような不純物を除去する浄水器を給湯口等に取り付けて熱湯から塩素等を除去する浄水器付きコーヒー沸かし器が提案されている（例えば、特許文献１参照）。
【０００３】
【特許文献１】
特開平９−９４１６５号公報
【０００４】
【発明が解決しようとする課題】
しかしながら、上記従来のコーヒー沸かし器では、十分な浄水性能を任意の期間保持させるには、給湯口から供給された湯を浄水器の活性炭をゆっくりと通過させる必要があった。それ故、浄水器は湯が溢れない大きさの容積が必要であり、活性炭も湯を容易に通過させない厚みが必要であった。そのため、浄水器は、十分な不純物除去性能を得るために一定以上の容積が必要となり、浄水器の小型化が難しいという問題があった。
【０００５】
本発明は、従来の課題を解決するものであり、活性炭を有する浄水器を小型化し、かつ不純物の除去性能を保持することによりコンパクトながら不純物を除去した熱湯でおいしいコーヒーを抽出するコーヒー沸かし器を提供することを目的とするものである。
【０００６】
【課題を解決するための手段】
前記目的を達成するために、本発明のコーヒー沸かし器は、浄水器に少なくとも２つ以上の活性炭を任意の空間を設けて配置したものである。
【０００７】
これにより、各活性炭の層を薄くして湯の通過速度を上げることができるので、浄水器の容積を低減できると共に、浄水器の不純物除去性能を保持することでコーヒー抽出に適した不純物を除去した熱湯を給湯することができる。
【０００８】
【発明の実施の形態】
請求項１に記載の発明は、水容器と、前記水容器から導入した水を加熱して湯を供給する加熱手段と、前記加熱手段から供給される湯をコーヒー抽出室に送る給湯口と、前記給湯口とコーヒー抽出室の間に設けた、活性炭を有する浄水器とを備え、前記浄水器は少なくとも２つ以上の活性炭を任意の空間を設けて配置したコーヒー沸かし器とすることにより、各活性炭の層を薄くして湯の通過速度を上げることができるので、浄水器の容積を低減できると共に、浄水器の不純物除去性能を保持することでコーヒー抽出に適した不純物を除去した熱湯を給湯することができる。
【０００９】
請求項２に記載の発明は、浄水器の活性炭は、異なる材質の活性炭を組み合わせて構成した請求項１に記載のコーヒー沸かし器とすることにより、各活性炭の欠点を補完して不純物の除去性能を向上させることができる。
【００１０】
請求項３に記載の発明は、浄水器の活性炭は、粒状活性炭の上下に繊維状活性炭またはフェルト状活性炭を設けた請求項１または２に記載のコーヒー沸かし器とすることにより、粒状活性炭を収納するポリエステル網等の部品点数を削減することができる。
【００１１】
請求項４に記載の発明は、活性炭間の空間を、放射状に構成した請求項１〜３のいずれか１項に記載のコーヒー沸かし器とすることにより、コーヒー抽出室の中のコーヒー粉に偏り無く熱湯を供給することができる。
【００１２】
請求項５に記載の発明は、浄水器に蒸気放出孔を設けた請求項１〜４のいずれか１項に記載のコーヒー沸かし器とすることにより、湯の蒸気とともに不純物が蒸気放出孔から放散され、不純物の除去性能を向上させることができる。
【００１３】
請求項６に記載の発明は、給湯口を活性炭に接触させた請求項１〜５のいずれか１項に記載のコーヒー沸かし器とすることにより、湯の浄水器での透過速度を向上させることができる。
【００１４】
請求項７に記載の発明は、浄水器の最下層にミネラル等の添加層を設けた請求項１〜６のいずれか１項に記載のコーヒー沸かし器とすることにより、浄水器は不要成分を除去するとともに、必要成分を効率的に添加することができる。
【００１５】
【実施例】
以下、本発明の実施例について、図面を用いて説明する。
【００１６】
（実施例１）
図１、図２は本発明の実施例１におけるコーヒー沸かし器を示すものである。
【００１７】
図において、１１はコーヒー沸かし器の本体で、水を投入するための水容器２を設置している。水容器２の底には逆止弁３があり、水容器２から導入した水を加熱して湯を供給する、電気ヒータ等による加熱手段４、加熱手段４に接続された昇水パイプ５を介して給湯口６まで連結され、加熱手段４から供給される湯を給湯口６からコーヒー抽出室７に送るようになっている。
【００１８】
また、給湯口６とコーヒー抽出室７の間には、浄水器８が設けられており、コーヒー抽出室７の下方で加熱手段４上には、コーヒー抽出液を保管する保管容器９が配置されている。
【００１９】
そして、浄水器８は、図２によく示されているように、内部に少なくとも２つ以上の活性炭１０の層を有し、この活性炭１０の層間には、リブ１１により放射状に空間１２を設けるように構成されており、支持部材１４により固定されている。また浄水器８を構成する筐体は、底部に複数の孔を有する有底筒状をしており、その上部側壁には、外部と連通する蒸気放出孔１３が設けられている。
【００２０】
以上のように構成されたコーヒー沸かし器について、以下その動作、作用を説明する。
【００２１】
水容器２に投入された水は逆止弁３を通過して電気ヒータ等による加熱手段４に流入する。加熱手段４により加熱された水は沸騰して湯となり、その蒸気圧で加熱手段４から昇水パイプ５を昇って給湯口６を通り、浄水器８に注がれる。浄水器８を通過した湯はコーヒー抽出室７の内部に収納されたコーヒー粉に注がれ、抽出されたコーヒー液が保管容器９に貯えられる。
【００２２】
浄水器８に注がれた湯は最初に上側の活性炭１０の上部に貯えられ、その後活性炭１０を通過してリブ１１によってつくられた空間１２に貯まり、下側の活性炭１０を通過してコーヒー抽出室７に注がれる。各活性炭１０は、従来に比べ薄く構成されているので、各活性炭１０の通過速度は速くなり、浄水器８の容積を小さくすることができる。なお、各活性炭１０個々の不純物除去性能は厚い１層のものに比べて低下するが、複数枚としているのでトータルの除去性能は確保することができる。
【００２３】
また、リブ１１は放射状に構成され、放射状に空間１２が存在するので湯の通過状態を拡散するように改善でき、コーヒー抽出室７のコーヒー粉に満遍なく注ぐことでよりおいしいコーヒーを抽出することができる。
【００２４】
また、蒸気放出孔１３により、活性炭１０に注がれた湯から発生する蒸気と共に湯の不純成分である塩素が放散されることで不純物の除去性能を向上させることができる。
【００２５】
（実施例２）
図３は本発明の実施例２におけるコーヒー沸かし器を示す。実施例１と同一構成要素は同一符号を付して説明を省略し、相違点についてのみ説明する。
【００２６】
本実施例では、実施例１における上側の活性炭の層をフェルト状活性炭１５とし、下側の活性炭の層を繊維状活性炭１６としている。すなわち、浄水器８の活性炭は異なる材質の活性炭を組み合わせて構成したものである。
【００２７】
これにより、浄水性能は高いが孔が開きやすく除去性能の寿命の短いフェルト状活性炭１５を、除去性能は低いが寿命の長い繊維状活性炭１６により保護することで、浄水器８の性能をより安定させることができる。
【００２８】
（実施例３）
図４は本発明の実施例３におけるコーヒー沸かし器を示す。既に説明した実施例と同一構成要素は同一符号を付して説明を省略し、相違点についてのみ説明する。
【００２９】
本実施例では、実施例１における浄水器８の活性炭の層を粒状活性炭１７とし、その上下を繊維状活性炭１６で囲むように構成されている。１８は上下の繊維状活性炭１６間に粒状活性炭１７を保持する空間を形成する支持部材である。
【００３０】
これにより、粒状活性炭１７を上下の繊維状活性炭１６により保持することで、粒状活性炭１６の上下を保持するポリエステルメッシュ等の構成材を省略することができる。なお、上下の繊維状活性炭１６はこれに限られるものではなく、フェルト状活性炭の層とすることも、また繊維状活性炭とフェルト状活性炭を組み合わせることもできるものである。
【００３１】
（実施例４）
図５は本発明の実施例４におけるコーヒー沸かし器を示す。既に説明した実施例と同一構成要素は同一符号を付して説明を省略し、相違点についてのみ説明する。
【００３２】
本実施例では、実施例１における活性炭１０に給湯口６を接触させるように構成されている。リブ１１により空間１２が構成されているので、加熱手段４が蒸気爆発による湯の排出を行った後の給湯口６からの吸気が空間１２の空気により容易に行われる。よって、これまでは難しかった給湯口６の活性炭１０への接触も容易に行えることで、湯の活性炭１０の透過速度が向上し、浄水器８の更なる小型化ができる。
【００３３】
（実施例５）
図６は本発明の実施例５におけるコーヒー沸かし器を示す。既に説明した実施例と同一構成要素は同一符号を付して説明を省略し、相違点についてのみ説明する。
【００３４】
本実施例では、実施例１における浄水器８の活性炭１０の最下層に、コーヒー抽出に良質な成分を付与するミネラル等の添加層２０を落下防止メッシュ１９の上に設けるように構成されている。これにより、浄水器８で容易に水質調整ができると共に、コーヒー沸かし器全体での小型化を行うことができる。
【００３５】
【発明の効果】
以上のように、本発明のコーヒー沸かし器によれば、浄水器に少なくとも２つ以上の活性炭を任意の空間を設けて配置したもので、各活性炭の層を薄くして湯の通過速度を上げることができるので、浄水器の容積を低減できると共に、浄水器の不純物除去性能を保持することでコーヒー抽出に適した不純物を除去した熱湯を給湯することができるものである。
【図面の簡単な説明】
【図１】本発明の実施例１を示すコーヒー沸かし器の断面図
【図２】同コーヒー沸かし器における浄水器の分解断面斜視図
【図３】本発明の実施例２を示すコーヒー沸かし器における浄水器の分解断面斜視図
【図４】本発明の実施例３を示すコーヒー沸かし器における浄水器の分解断面斜視図
【図５】本発明の実施例４を示すコーヒー沸かし器の要部断面図
【図６】
本発明の実施例５を示すコーヒー沸かし器における浄水器の分解断面斜視図
【符号の説明】
１　給湯口
２　水容器
４　加熱手段
６　給湯口
７　コーヒー抽出室
８　浄水器
１０　活性炭
１２　空間
１３　蒸気放出孔
１５　フェルト状活性炭
１６　繊維状活性炭
１７　粒状活性炭
２０　添加層
【図１】
2004121544.tif 000003
【図２】
2004121544.tif 000004
【図３】
2004121544.tif 000005
【図４】
2004121544.tif 000006
【図５】
2004121544.tif 000007
【図６】
2004121544.tif 000008